(57)【要約】【課題】携帯端末装置において、短時間の簡単な操作でプロフィール情報等を登録可能にする技術の提供。【解決手段】インターフェースを介しメモリカード等の記憶媒体から供給されるプロフィール情報と、携帯端末装置本体内の情報記憶手段に記録されたプロフィール情報とを比較し、該両プロフィール情報が異なるとき、該記憶媒体のプロフィール情報を、上記情報記憶手段内において上記プロフィール情報が記憶された領域とは別の領域に登録する。【選択図】　図１
2004102516.tif 000002
【特許請求の範囲】
【請求項１】
所有者のプロフィール情報を登録可能な携帯端末装置において、
上記プロフィール情報を記憶する情報記憶手段と、
上記プロフィール情報を記憶した外部記憶手段を接続可能なインターフェースと、
該インターフェースを介し上記外部記憶手段から供給される上記プロフィール情報と、上記情報記憶手段に記録された上記プロフィール情報とを比較し、該比較の結果、該両プロフィール情報が異なるとき、上記外部記憶手段から供給される上記プロフィール情報を、上記情報記憶手段内において上記プロフィール情報が記憶された領域とは別の領域に登録する制御手段と、
を備えた構成を特徴とする携帯端末装置。
【請求項２】
所有者のプロフィール情報を登録可能な携帯端末装置において、
上記プロフィール情報を記憶する情報記憶手段と、
上記プロフィール情報を記憶した外部記憶手段を接続可能なインターフェースと、
該インターフェースを介し上記外部記憶手段から供給される上記プロフィール情報を、上記所有者からの許可情報に基づき、上記情報記憶手段内において上記プロフィール情報が記録された領域とは別の領域に登録する制御手段と、
を備えた構成を特徴とする携帯端末装置。
【請求項３】
上記制御手段は、上記許可情報を電子メールで入手するとともに、上記外部記憶手段の所在を上記所有者側に通知する請求項２に記載の携帯端末装置。
【請求項４】
上記情報記憶手段は、上記外部記憶手段と同様、データを保護する第１の領域と、データを保護しない第２の領域とを有し、該第１、第２の領域に上記プロフィール情報を記憶し、上記制御手段は、上記外部記憶手段の第１の領域のプロフィール情報を、外部から受け取った保護解除コードに基づき、上記情報記憶手段内においてプロフィール情報が記録された上記第１、第２の領域とは別の第３の領域に登録し、上記外部記憶手段の第２の領域のプロフィール情報はそのまま該第３の領域に登録する構成である請求項１または請求項２に記載の携帯端末装置。
【請求項５】
上記制御手段は、上記外部記憶手段から入力される情報であって複数の携帯端末装置のアドレスの回覧順序を示す回覧順序情報に基づき、次の回覧順のアドレスへ該外部記憶手段の所在通知を行うように制御する構成である請求項１または請求項２に記載の携帯端末装置。
【請求項６】
所有者のプロフィール情報を登録可能な携帯端末装置の情報処理方法において、
インターフェースを介し装置本体に接続される外部記憶手段に記憶された上記プロフィール情報と、装置本体内の情報記憶手段に記録された上記プロフィール情報とを比較するステップと、
上記比較の結果、上記両プロフィール情報が異なるとき、上記インターフェースを介し供給される上記外部記憶手段からの上記プロフィール情報を、上記情報記憶手段内において上記プロフィール情報が記憶された領域とは別の領域に登録するステップと、
を経て、上記プロフィール情報の処理を行うことを特徴とする携帯端末装置の情報処理方法。
【請求項７】
インターフェースを介し携帯端末装置本体に着脱可能な記憶媒体であって、
所有者のプロフィール情報が記憶される第１の記憶領域と、他のデータ情報が記憶される第２の記憶領域とを有し、携帯端末装置本体に装着された状態で上記第１の記憶領域から上記プロフィール情報を該携帯端末装置本体に供給可能にした構成を特徴とする記憶媒体。
【発明の詳細な説明】
【０００１】
【発明の属する技術分野】
本発明は、所有者のプロフィール情報を登録可能な携帯端末技術に関する。
【０００２】
【従来の技術】
従来、携帯電話機等携帯端末装置においては、装置内のメモリに相手先の名前、電話番号、電子メール（以下、Ｅメールという）アドレスや住所等のプロフィール情報を登録しておき、このメモリから相手先の電話番号やＥメールアドレスを呼び出し、相手先に電話をかけたり、Ｅメールを送信したりするようになっている。例えば、特開２００１−３２５２７９号公報（特許文献１）には、通信データ処理端末装置として、外部装置から受信した相手の特定データを一時的に記憶する一時記憶部と、上記外部装置から受信した相手の特定データをデータベースとして記憶する主記憶部と、上記一時記憶部の特定データと上記主記憶部の特定データとを比較し、一致しない場合に上記一時記憶部の特定データを上記主記憶部のデータベースに追加登録する比較処理部とを備えた構成が記載されている。端末装置の使用者を識別するためのユーザＩＤ等を含む自己の特定データを記憶する自己データ記憶部は、メモリカードやメモリチップ等の形態で装置本体に対し着脱可能なものであってもよいとされる。また、特開平９−１７９９５４号公報（特許文献２）には、無線情報伝送装置として、無線カードから名刺データを無線により受信し、格納、表示、修正、または無線出力する構成が記載されている。
【０００３】
【特許文献１】
特開２００１−３２５２７９号公報
【特許文献２】
特開平９−１７９９５４号公報
【０００４】
【発明が解決しようとする課題】
上記従来技術のうち、メモリにプロフィール情報を手動的に登録する構成では、相手からプロフィール情報を聞いた後、１文字ずつキー操作で該プロフィール情報を入力する必要があるため、メモリに相手先の多種のプロフィール情報を登録する場合には、多くの時間と手間がかかる。また、相手から送信されてくる発信者番号通知を利用し電話番号やメールアドレスをメモリに記憶する構成においても、相手の名前などのプロフィール情報に関しては、１文字ずつキー操作で該プロフィール情報を入力する必要がある。さらに、プロフィール情報のデータを、１件分指定し、Ｅメールに添付して送信することで相手先の携帯端末装置のメモリに登録するようにした構成では、発信側において、相手のメールアドレスの入力、１件分のデータの書き出し作成、メール作成、データ添付、送信などの各操作が必要となり、全体操作が複雑になり易い。また、上記公報記載の技術も、外部装置から受信した範囲の相手のプロフィール情報を主記憶部や一時記憶部に記憶するものに過ぎず、相手の名前などのプロフィール情報に関してはやはり、１文字ずつキー操作で入力する必要がある。
本発明の課題点は、上記従来技術の状況に鑑み、携帯端末装置において、文字入力操作の手間を省き、短時間の簡単な操作でプロフィール情報の登録ができるようにすることである。
本発明の目的は、かかる課題点を解決できる技術の提供にある。
【０００５】
【課題を解決するための手段】
上記課題点を解決するために、本発明では、基本的に、相手の名前などを含むプロフィール情報を記憶し携帯端末装置本体に着脱可能なメモリカード等の外部記憶手段を用い、該外部記憶手段が装置本体にインターフェースを介し装着（接続）された状態で、該外部記憶手段から取込むプロフィール情報と、装置本体内の情報記憶手段に記録されたプロフィール情報とを比較し、該両プロフィール情報が異なるとき、該外部記憶手段から上記インターフェースを介し取込んだプロフィール情報を上記情報記憶手段に登録可能な構成とする。具体的には、（１）所有者のプロフィール情報を登録可能な携帯端末装置において、該プロフィール情報を記憶する情報記憶手段（該当実施例：符号１１０）と、該プロフィール情報を記憶した外部記憶手段（該当実施例：符号１２０、２２０、３２０）を接続可能なインターフェース（該当実施例：符号１５０）と、該インターフェースを介し上記外部記憶手段から供給される上記プロフィール情報と、上記情報記憶手段に記録された上記プロフィール情報とを比較し、該比較の結果、該両プロフィール情報が異なるとき、異なるとき、上記外部記憶手段から供給される上記プロフィール情報を、上記情報記憶手段内において上記プロフィール情報が記憶された領域（該当実施例：符号１１１）とは別の領域（該当実施例：符号１１４）に登録する制御手段（該当実施例：符号１４０）とを備えた構成とする。（２）同携帯端末装置において、プロフィール情報を記憶する情報記憶手段（該当実施例：符号１１０）と、プロフィール情報を記憶した外部記憶手段を接続可能なインターフェース（該当実施例：符号１５０）と、該インターフェースを介し上記外部記憶手段から供給される上記プロフィール情報を、上記所有者からの許可情報に基づき、上記情報記憶手段内において上記プロフィール情報が記録された領域（該当実施例：符号１１１）とは別の領域（該当実施例：符号１１４）に登録する制御手段（該当実施例：符号１４０）とを備えた構成とする。（３）上記（２）において、上記制御手段を、上記許可情報を電子メールで入手するとともに、上記外部記憶手段の所在を上記所有者側に通知する構成とする。（４）上記（１）または（２）において、上記情報記憶手段（該当実施例：符号１１０）を、上記外部記憶手段と同様、データを保護する第１の領域（該当実施例：符号１１３）と、データを保護しない第２の領域（該当実施例：符号１１２）とを有し、該第１、第２の領域に上記プロフィール情報を記憶する構成とし、また、上記制御手段（該当実施例：符号１４０）は、上記外部記憶手段の第１の領域（該当実施例：符号１２３）のプロフィール情報を、外部から受け取った保護解除コードに基づき、上記情報記憶手段内においてプロフィール情報が記録された上記第１、第２の領域とは別の第３の領域（該当実施例：符号１１４）に登録し、上記外部記憶手段の第２の領域（該当実施例：符号１２２）のプロフィール情報はそのまま該第３の領域（該当実施例：符号１１４）に登録する構成とする。（５）上記（１）または（２）において、上記制御手段を、上記外部記憶手段から入力される情報であって複数の携帯端末装置のアドレスの回覧順序を示す回覧順序情報に基づき、次の回覧順のアドレスへ該外部記憶手段の所在通知を行うよう制御する構成とする。（６）所有者のプロフィール情報を登録可能な携帯端末装置の情報処理方法として、インターフェースを介し装置本体に接続される外部記憶手段に記憶された上記プロフィール情報と、装置本体内の情報記憶手段に記録された上記プロフィール情報とを比較するステップと、該比較の結果、上記両プロフィール情報が異なるとき、上記インターフェースを介し供給される上記外部記憶手段からの上記プロフィール情報を、上記情報記憶手段内において上記プロフィール情報が記憶された領域とは別の領域に登録するステップとを経て、プロフィール情報の処理を行う。（７）インターフェースを介し携帯端末装置本体に着脱可能な記憶媒体として、所有者のプロフィール情報が記憶される第１の記憶領域（該当実施例：符号１２１、２２１）と、他のデータ情報が記憶される第２の記憶領域（該当実施例：符号１２４、２２４）とを有し、携帯端末装置本体に装着された状態で上記プロフィール情報を該携帯端末装置本体に供給可能にした構成とする。
上記制御手段は、上記外部記憶手段の交換または差し替えにより、上記インターフェースから取込んだ該外部記憶手段からのプロフィール情報を識別した上で、上記情報記憶手段内の上記所定の領域に登録可能とし、登録時におけるキー操作による文字入力作業の時間と手間を低減する。また、上記制御手段は、保護されたプロフィール情報を登録する際においてメールによる自動確認を可能とし、保護の解除操作も簡単にする。また、プロフィール情報を交換する際、外部記憶手段の所在が不明になることを防ぐ。
【０００６】
【発明の実施の形態】
以下、本発明の実施例につき、図面を用いて説明する。
図１は、本発明の実施例としての携帯端末装置の構成を示し、特にプロフィール情報の交換に関わる部分の構成を示す。
図１において、１は携帯端末装置（携帯端末装置Ａ）、１１０は、情報記憶手段としてのメインメモリ、１１１は、メインメモリ１１０内においてプロフィール情報を記憶するプロフィール情報Ａ記憶領域、１１４は、メインメモリ１１０内においてプロフィール情報の他の情報データを記憶するデータ記憶領域、１２０は、外部記憶手段としてのメモリカード（メモリカードＡ）、１２１は、メモリカードＡ１２０内においてプロフィール情報Ａを記憶するプロフィール情報記憶領域、１２４はメモリカードＡ１２０内においてプロフィール情報Ａの他の情報データを記憶するデータ記憶領域、１３０は送受信部、１４０は、装置全体を制御する制御部、１５０は、メモリカード１２０を接続するメモリカードインターフェースである。携帯端末装置１は、上記構成要素のうち、メモリカードＡ１２０を除く要素を備えて構成され、該メモリカードＡ１２０が装着された状態で、プロフィール情報を登録するように作動する。送受信部１３０は情報使用許可入手手段として作用する。メモリカードインターフェース１５０は、メモリカードＡ１２０が装着された状態において、制御部１４０とメモリカード１２０との間のデータ交換を行う。制御部１４０は、プロフィール情報の比較手段及び保護手段として機能し、送受信部１３０、メインメモリ１１０、メモリカードインターフェース１５０を制御しデータの受け渡しを行う。プロフィール情報Ａ記憶領域１１１は、データを保護する保護領域１１３と保護しない未保護領域１１２から構成される。メモリカードＡ１２０は、プロフィール情報Ａ記憶領域１１１に記録されたプロフィール情報Ａと同一の所有者情報であるプロフィール情報Ａが記憶されるプロフィール情報Ａ記憶領域１２１、カードの回覧順序を示す回覧順序情報が記憶される回覧順序情報記憶領域Ａ１２５及び、各種データを記憶するデータ記憶領域１２４から構成される。また、プロフィール情報Ａ記憶領域１２１は、データを保護する保護領域１２３と保護しない未保護領域１２２から構成される。保護領域１２３は、携帯端末装置の所有者によって任意に設定され、メモリカードＡ１２０の記憶領域（図示なし）に記憶する保護解除コードＡにより保護される。保護解除コードを用いない通常アクセス時には、制御部１４０は保護領域１２２の読み出しは可能であるが、携帯端末のメインメモリに対する登録やユーザに対する内容表示は行えない構成となっている。保護解除コードを用いたアクセス時には、メモリカードＡ１２０に記憶してある保護解除コードＡと、アクセス時に用いられる保護解除コードＡが一致した場合にのみ、内容の登録や表示が行える構成となっている。
【０００７】
図２は、同一の構成を備えた３台の携帯端末装置を示す。該３台の装置それぞれが、図１に示した外部記憶手段としてのメモリカードがそれぞれのメモリカードインターフェースに接続される構成を有する。すなわち、携帯端末装置Ａ１には、該携帯端末装置Ａ１の所有者のプロフィール情報を記憶するメモリカードＡ１２０が接続され、携帯端末装置Ｂ２には、該携帯端末装置Ｂ２の所有者のプロフィール情報を記憶するメモリカードＢ２２０が接続され、また、携帯端末装置Ｃ３には、該携帯端末装置Ｃ３の所有者のプロフィール情報を記憶するメモリカードＣ３２０が接続される。メモリカードＡ１２０、メモリカードＢ２２０、メモリカードＣ３２０は基本的に同じ構成を有し、メモリカードＡ１２０は、携帯端末装置Ａ１のメインメモリ１１０に記憶されたプロフィール情報Ａ１１１と同じプロフィール情報を記憶しており、メモリカードＢ２２０は、携帯端末装置Ｂ２に記憶されたプロフィール情報と同じプロフィール情報を記憶しており、メモリカードＣ３２０は、携帯端末Ｃ３に記憶されたプロフィール情報と同じプロフィール情報を記憶しているとする。
【０００８】
図３は、携帯端末装置Ａ１に、携帯端末装置Ｂ２のプロフィール情報を記憶したメモリカードＢ２２０が接続された状態を示し、図４は、本実施例におけるプロフィール情報の登録の手順例を示し、図５はプロフィール情報記憶領域の構成例を示し、図６は回覧順序情報の構成例を示す。図３において、メモリカードＢ２２０は、携帯端末装置Ｂ２のメインメモリに記録されたプロフィール情報Ｂと同一の所有者情報であるプロフィール情報Ｂが記憶されるプロフィール情報Ａ記憶領域１２１、カードの回覧順序を示す回覧順序情報が記憶される回覧順序情報記憶領域Ｂ２２５及び、各種データを記憶するデータ記憶領域２２４から構成される。また、プロフィール情報Ｂ記憶領域２２１は、データを保護する保護領域２２３と保護しない未保護領域２２２から構成される。保護領域２２３は、携帯端末装置の所有者によって任意に設定され、メモリカードＢ２２０に記憶する保護解除コードＢにより保護される。保護解除コードを用いない通常アクセス時には、制御部１４０は、保護領域２２２の読み出しは可能であるが、携帯端末のメインメモリに対する登録やユーザに対する内容表示は行えない構成となっている。保護解除コードを用いたアクセス時には、メモリカードＢ２２０に記憶してある保護解除コードＢと、アクセス時に用いられる保護解除コードＢが一致した場合にのみ、内容の登録や表示が行える構成となっている。図５において、プロフィール情報記憶領域のうちの未保護領域４２２には、名前４０１、メールアドレス４０２、電話番号４０３が登録され、保護領域４２３には、メールアドレス２４０４、電話番号２　４０５、住所４０６、生年月日４０７、星座４０８、血液型４０９、ＵＲＬ４１０、趣味４１１、画像４１２、備考４１３の各情報が登録されている。なお、該未保護領域４２２は、ユーザ設定によって任意に、保護領域４２３に変えることができ、また反対に、保護領域４２３は、ユーザ設定によって任意に未保護領域に変更することが可能である。また、図６において、回覧順序情報は、メモリカードを複数の人に回覧する際の順序を指定した情報であり、メモリカードを回覧する順序５０１に従い、回覧先のメールアドレス５０２、名前５０３、電話番号５０４がそれぞれ、順序情報１　５０５、順序情報２　５０６、順序情報３　５０７として並んでいる。回覧順序情報がメモリカード内に存在していた場合、装置内の制御部は、該順序情報を、自端末装置のメインメモリ内のプロフィール情報に記憶されたメールアドレス、名前、電話番号と比較し、回覧順序内の自端末装置の順番を探し出す。その後、該制御部は、次の順番のメールアドレスに対して自動的にメモリカードの所在を通知するメールを送信させるように制御する。
【０００９】
以下、図３〜図６に基づき、携帯端末装置Ａ１に、携帯端末装置Ｂ２のプロフィール情報Ｂ２２１が記憶されたメモリカードＢ２２０が装着（接続）された場合の動作につき説明する。
（１）図３に示すように、携帯端末Ａ１にメモリカードＢ２２０が挿入され、メモリカードインターフェース１５０に接続される（ｓｔｅｐ１）。
（２）制御部１４０が、メインメモリ１１０のプロフィール情報Ａ記憶領域１１１に記憶されたプロフィール情報と、メモリカードＢ２２０のプロフィール情報記憶領域Ｂ２２１に記憶されたプロフィール情報が一致しているかどうかの比較を行う（ｓｔｅｐ２）。本実施例では全項目に対して比較を行うが、処理負荷を軽減するために名前、メールアドレス、電話番号などの特定の項目のみを比較してもよい。
（３）上記比較の結果、プロフィール情報Ａ記憶領域１１１のプロフィール情報と、プロフィール情報記憶領域Ｂ２２１のプロフィール情報とが一致しないとされた場合、制御部１４０は、プロフィール情報記憶領域Ｂ２２１のプロフィール情報が保護されているかどうかを判別する（ｓｔｅｐ３）。
（４）プロフィール情報記憶領域Ｂ２２１のプロフィール情報に保護領域２２３が存在する場合、制御部１４０は、送受信部１３０を用いて、プロフィール情報記憶領域Ｂ２２１に記憶されているメールアドレス（例えば図５に示すメールアドレス４０２）に対して、メール件名に特定のキーワード、例えば“ｒｅｑｕｅｓｔｅｄ　ｆｏｒ　ｃａｎｃｅｌｌａｔｉｏｎ”を埋め込んだ保護解除許可リクエストメールを自動的に送信する（ｓｔｅｐ４）。
（５）解除許可リクエストメールを受け取った携帯端末装置Ｂ２の許可承認動作により、該携帯端末装置Ｂ２から、メール件名に特定のキーワード、例えば“ｐｅｒｍｉｓｓｉｏｎ　ｆｏｒ　ｃａｎｃｅｌｌａｔｉｏｎ”と保護解除コードを埋め込んだ解除許可メールが返信され、携帯端末装置Ａ１の送受信部１３０によって解除許可メールが受信される（ｓｔｅｐ５）。
（６）制御部１４０は、メモリカードＢ２２０に記憶してある保護解除コードと、解除許可メールの件名に記述してある保護解除コードとを比較し、一致した場合にプロフィール情報の保護を解除する（ｓｔｅｐ６）。
（７）解除後、制御部１４０は、メモリカードＢ２２０のプロフィール情報記憶領域Ｂ２２１のプロフィール情報を、メインメモリ１１０のデータ記憶領域１１４に登録させる（ｓｔｅｐ７）。なお、プロフィール情報の保護は、パスワードを用いる方法によってもよいし、暗号化を行い、暗号鍵により解除する方法によってもよい。
（８）次に、制御部１４０は、メモリカードＢ２２０の回覧順序情報記憶領域Ｂ２２５に回覧順序情報が存在するか否かを検索する（ｓｔｅｐ８）。回覧順序情報が存在していた場合、制御部１４０は、プロフィール情報記憶領域Ａ１１１に記憶してある携帯端末装置Ａ１のメールアドレスを、回覧順序情報記憶領域Ｂ２２５に回覧順序情報の中から検索する（図６における順序情報５０６）。
（９）制御部１４０は、検索した順序情報５０６の次に記述してある、順序情報５０７に登録してあるメールアドレスに対し、本文中に現在のメモリカードＢ２２０の保持者を記述した所在通知メールを、送受信部１３０を用いて送信させる（ｓｔｅｐ９）。
（１０）制御部１４０は、メモリカードＢ２２０のプロフィール情報記憶領域Ｂ２２１に記憶してあるメールアドレスに対しても、メモリカードＢ２２０の所在通知メールを送受信部１３０を用いて送信する（ｓｔｅｐ１０）。
上記のように本実施例では、プロフィール情報をメモリカードに記憶し、メモリカードを携帯端末装置に装着（接続）することで、プロフィール情報を該携帯端末装置のメインメモリに登録する。プロフィール情報が保護されている場合には、保護解除許可をプロフィール情報の所有者より入手し、保護が解除された場合にのみメインメモリに登録する。また、メモリカードの所有者に対し所在通知を行う。メモリカードを回覧する設定がなされていた場合には、次の回覧先に対しても所在通知を行う。
【００１０】
上記実施例構成によれば、携帯端末装置において、メモリカードの装着（接続）により、文字入力操作の手間を省き、短時間の簡単な操作でプロフィール情報を登録することが可能となる。特に、携帯端末装置内に、メモリカードからのプロフィール情報を一時記憶する等の処理も不要なため、携帯端末装置の構成を簡易化できるとともに、登録操作を簡単かつ短時間に行うことができる。プロフィール情報の保護及びプロフィール情報による通信の保護も確実に行える。メモリカードを複数の人に回覧する際、メモリカードの紛失も防止できる。メモリカードの回覧時の滞りも防止できる。
なお、上記実施例では、携帯端末装置の所有者のプロフィール情報を対象としたが、その他、例えば、音楽データ、画像データ、アドレス帳情報、スケジュール情報などが対象であってもよい。
【００１１】
【発明の効果】
本発明によれば、携帯端末装置において、文字入力操作の手間を省き、短時間に簡単にプロフィール情報等をメモリに登録することができる。
【図面の簡単な説明】
【図１】本発明の携帯端末装置の実施例を示す図である。
【図２】本発明の携帯端末装置におけるプロフィール情報の説明図である。
【図３】本発明の携帯端末装置におけるメモリカードとの組み合わせの説明図である。
【図４】本発明の携帯端末装置におけるプロフィール情報登録手順の説明図である。
【図５】プロフィール情報の構成例を示す図である。
【図６】本発明の携帯端末装置における回覧順序情報の説明図である。
【符号の説明】
１…携帯端末装置Ａ、　２…携帯端末装置Ｂ、　３…携帯端末装置Ｃ、１１０…メインメモリ、　１１１…メインメモリのプロフィール情報Ａ記憶領域、　１１４…メインメモリのデータ記憶領域、　１２０…メモリカードＡ、　１２１…メモリカードＡのプロフィール情報Ａ記憶領域、　１２４…メモリカードＡのデータ記憶領域、　１３０…送受信部、　１４０…制御部、　１５０…メモリカードインターフェース、　２２０…メモリカードＢ、　３２０…メモリカードＣ、２２１…メモリカードＢのプロフィール情報Ａ記憶領域、　２２４…メモリカードＢのデータ記憶領域。
【図１】
2004102516.tif 000003
【図２】
2004102516.tif 000004
【図３】
2004102516.tif 000005
【図４】
2004102516.tif 000006
【図５】
2004102516.tif 000007
【図６】
2004102516.tif 000008